(57)【要約】  【課題】  本発明は、軟質のマグネットガスケットを用いても、防露パイプからの熱伝導を抑制する冷蔵庫を提供することを目的とする。  【解決手段】  ガスケット３０は、軟質樹脂により成形され、前面フランジ部２ａに吸着する磁石を収納したマグネット保持部３１と、扉１３側への取付部３２と、マグネット保持部３１と取付部３２とを伸縮自在に連結する袋状部３３とを有し、扉１３裏面の下部には、ガスケット３０の底辺を保持する支持部１９を設けた。【選択図】  図１
2006105405.tif 000002
【特許請求の範囲】
【請求項１】
外箱と内箱との間に断熱材を充填させたキャビネットと、このキャビネットの前面フランジ部接触面に配設した結露の発生を防止する防露パイプと、前記キャビネットの前面開口部を開閉自在に閉塞する扉と、この扉裏面の内周縁に取付けられたロ字状のガスケットとを備え、このガスケットは、軟質樹脂により成形され、前記前面フランジ部に吸着する磁石を収納したマグネット保持部と、扉側への取付部と、前記マグネット保持部と取付部とを伸縮自在に連結する袋状部とを有し、前記扉裏面の下部には、前記ガスケットの底辺を保持する支持部を設けたことを特徴とする冷蔵庫。
【請求項２】
支持部は、扉の幅方向における、ほぼ中央部の所定範囲に亙って設けたことを特徴とする請求項１に記載の冷蔵庫。
【発明の詳細な説明】
【技術分野】
【０００１】
本発明は、キャビネットの開口周縁からの熱漏洩を防ぐ扉ガスケット部をシール構成改良した冷蔵庫に関する。
【背景技術】
【０００２】
従来、冷蔵庫扉の裏面に取付けられ、閉扉時にはキャビネット前面開口部の周縁に当接して冷気シールを行うマグネットガスケット１１０は、軟質合成樹脂材によって形成されており、図３に示すように、キャビネットの前面フランジ部１００に吸着する磁石を内蔵したマグネット保持部１１２と、扉１２０裏面の周縁に形成したガスケット保持凹溝１２１に嵌着される取付部１１３と、これらマグネット保持部１１２と取付部１１３とを伸縮自在に連結する薄肉の袋状部１１４とからなる断面を有してロ字状に構成されていた（例えば、特許文献１）。
【０００３】
このガスケット１１０を扉１２０の内側周縁に取付けた際には、取付部１１３と前面フランジ部１００に吸着するマグネット保持部１１２に対して、袋状部１１４が扉１２０の開閉に合わせて伸縮し、冷蔵庫本体の前面開口部に対する扉１２０面の密閉状態を保持するものである。
【０００４】
前記前面フランジ部１００は、閉扉時にはガスケット１１０により覆われるが、その一部は庫外側に露出し、貯蔵室１３０内の冷却により薄鋼板製の前面フランジ部１００が冷やされて結露することを防止するため、ガスケット１１０が当接する前面フランジ部１００の裏面側には、冷凍サイクルにおける凝縮器の一部である高温の冷媒パイプ１０１（以下、防露パイプとする。）を配設している。
【０００５】
そして、この防露パイプ１０１からの熱伝導によって加熱された前面フランジ部１００の温度により、貯蔵室１３０内の温度が上昇するという弊害を生じることから、  加熱された前面フランジ部１００からの熱伝導を抑制するために、防露パイプ１０１の配設位置を庫内側から離間させたり、マグネット保持部１１２と前面フランジ部１００との当接位置を上方に配置させていた。
【特許文献１】特開２００２−２２３５１号公報
【発明の開示】
【発明が解決しようとする課題】
【０００６】
しかしながら、近年では、収納容量の拡大に伴う冷蔵庫本体の大型化から扉の幅寸法も長くなっており、また、ガスケット１１０は伸縮性を確保する必要があり軟質であることから、開扉した際にガスケット１１０の重みによって、特に上辺や底辺の中央部が垂れ下がるという現象が生じる。
【０００７】
この場合、上辺のガスケット１１０であれば、垂れ下がった状態で閉扉されても、庫内側に露出する前面フランジ部１００の面積は縮小されるため、却って防露パイプ１０１の加熱による熱伝導は抑制されるが、点線で示すように、底辺のガスケット１１０が垂れ下がった状態で閉扉されると、庫内側に露出している前面フランジ部１００の面積が拡大するため、加熱された前面フランジ部１００からの熱伝導により、貯蔵室１３０内の温度が上昇し易いものであった。
【０００８】
本発明は上記点を考慮してなされたもので、軟質のマグネットガスケットを用いても、防露パイプからの熱伝導を抑制する冷蔵庫を提供することを目的とする。
【課題を解決するための手段】
【０００９】
本発明の冷蔵庫は、外箱と内箱との間に断熱材を充填させたキャビネットと、このキャビネットの前面フランジ部に当接させ結露の発生を防止する防露パイプと、前記キャビネットの前面開口部を開閉自在に閉塞する扉と、この扉裏面の内周縁に取付けられたロ字状のガスケットとを備え、このガスケットは、軟質樹脂により成形され、前記前面フランジ部に吸着する磁石を収納したマグネット保持部と、扉側への取付部と、前記マグネット保持部と取付部とを伸縮自在に連結する袋状部とを有し、前記扉裏面の下部には、前記ガスケットの底辺を保持する支持部を設けたことを特徴とする。
【発明の効果】
【００１０】
上記発明によれば、支持部によりガスケットの底辺を保持しているため、ガスケットの重みにより垂れ下がることを防止することができ、もって、加熱された前面フランジ部の庫内側への露出面積を縮小化させ、庫内の温度上昇を抑制することができる。
【発明を実施するための最良の形態】
【００１１】
以下、図面に基づき本発明の１実施形態について説明する。図２に示す冷蔵庫本体１は、外箱３と内箱４との間に断熱材５を充填させたキャビネット２によって、内部に貯蔵空間を形成しており、冷蔵室７，野菜室８，仕様切替室９，冷凍室１０を上から順に設けている。なお、特に図示しないが仕様切替室９の側方には製氷室を設けている。
【００１２】
冷蔵室７及び野菜室８との間には仕切壁２１、他の貯蔵室間にはそれぞれ断熱仕切壁２２を配設して区画することで、庫内に複数の独立空間を形成し、それぞれ冷蔵室７、野菜室８、冷凍室１０などの食品の貯蔵温度に適した所定の温度帯に冷却制御している。
【００１３】
各貯蔵室の前面開口部には、それぞれ冷蔵室扉１１、野菜室扉１２、仕様切替室扉１３及び冷凍室扉１４などの開閉扉を設けており、各扉中、冷蔵室扉１１は、前面開口部の一側の上下に取付けたヒンジにその一側を枢支することで回動自在に設けられているが、野菜室１４他の貯蔵室扉は、引出し式に形成されている。
【００１４】
後述するガスケット３０及びその周縁構造は基本的に同一であるため、仕様切替室９と冷凍室１０との間に設けた断熱仕切壁２２、及び仕様切替室扉１３を取上げて、当該構成について図１により詳細に説明する。
【００１５】
断熱仕切壁２２の前部には、断面がエ字状に成形された合成樹脂製のフレーム２４を取付けており、その前面開口部には、キャビネット２の前面フランジ部２ａの一部を構成する薄鋼板製の前板２７を設けている。この前板２７の裏面側には、庫外側にその一部が露出している前面フランジ部２ａが貯蔵室内の冷却により冷やされて結露することを防止する加熱源として、冷凍サイクルにおける凝縮器の一部である防露パイプ２６を配設しており、その後方に設けた発泡スチロール製の断熱材２５の弾性力により、前板２７の裏面に当接されている。
【００１６】
扉１３は、外板１５及び内板１６との間に断熱材１７を充填させて構成されており、その上下開口部には、合成樹脂製のドアキャップ１８を取付けている。扉内板１６の４周縁には、アンダーカット成形したガスケット保持凹溝１６ａに嵌着されるガスケット３０を設けており、キャビネット２の前面開口縁周縁に形成した前面フランジ部２ａと扉１３の裏面側周縁との間隙を密閉シールして貯蔵室９と外部とを熱的に遮断し、熱漏洩を防止し、各貯蔵室内を所定温度に制御保持している。
【００１７】
ガスケット３０は、マグネット保持部３１、前記扉内板１６側への取付部３２、及びこれらを伸縮自在に連結する薄肉の袋状部３３からなる断面形状を有し、軟質合成樹脂によって扉の裏面周縁に沿ったロ字状に成形したものである。
【００１８】
前記マグネット保持部３１には、軟質ゴムと磁性体粉末とを混合形成した軟質磁石３４を挿入配設しており、これが前板２７すなわち前面フランジ部２ａに吸着して冷蔵庫内外を気密にシールし熱遮断している。取付部３２は、肉厚の基部から下方に突出したアンカー形状をしており、前記ガスケット保持凹溝１６ａに嵌入することでガスケット３０を抜け止め保持している。
【００１９】
袋状部３３は、前記マグネット保持部３１と取付部３２とをそれぞれ両側から０．３〜０．４ｍｍ厚の薄肉材で連結して袋状に成形したものであり、この袋状部３３によってガスケット３０を扉１３の開閉方向である図１における水平方向に伸縮可能とし、開扉時におけるマグネット保持部３１の吸着力を吸収して開扉力を緩和し、開扉時におけるマグネットの前面フランジ部２ａへの飛び付き代と閉扉力の緩衝作用を有しているものである。
【００２０】
さて、閉扉時においては、ガスケット３０は、マグネット保持部３１が前面フランジ部２ａに吸着しているため、その重みにより垂れ下がることはないが、開扉した際には、庫内側への吸着がなくなるため、上辺と底辺のガスケット３０が垂れ下がる。この現象は、軟質合成樹脂の劣化や破損によって生じ、特に扉１３の幅寸法を大きい場合には顕著に現れる。この場合、底辺側では、垂れ下がったままで閉扉すると、庫内側に露出している前面フランジ部２ａの面積が拡大され、防露パイプ２６の加熱により、貯蔵室９内が温度上昇してしまう。
【００２１】
そこで、本発明では、扉１３裏面の下部に、ガスケット３０の底辺を保持する支持部１９を設けた。具体的には、下側のドアキャップ１８に支持部１９を一体成形しており、ガスケット３０の袋状部３３及びマグネット保持部３１の下面を支えるように庫内側に向けて延出させている。
【００２２】
このため、開扉時にガスケット３０がその重みによって下方に経にした場合でも支持部１９によって、支持されているため、ガスケット３０の垂れ下がりを防止でき、もって、前面フランジ部２ａの露出面積の拡大が防止され、庫内温度上昇を抑制することができる。
【００２３】
本実施形態では、支持部１９はガスケット３０の幅寸法に合わせて、ドアキャップ１８から突出させているが、特に垂れ下がりが顕著に現れるのは扉１３の幅方向における中央部であるため、当該部分のみに所定範囲、例えば２０ｍｍに亙って支持部１９を設けることで、確実に垂れ下がりを防止することができるとともに、ガスケット３０の取付性を向上させることができる。
【００２４】
一方、マグネット保持部３１と前面フランジ部２ａとが当接する位置を防露パイプ２６の配設位置よりも庫内側となるように、支持部１９を配設することで、さらに、前面フランジ部２ａの露出による庫内温度上昇を抑制することができる。
【００２５】
なお、上述した構成は、本発明の一実施形態であり、発明の要旨を変更しない範囲で種々の変更が可能である。例えば、仕様切替室扉１３に設けた支持部１９についてのみ説明したが、他の貯蔵室扉においても同構成としてもよい。なお、上辺や側辺のガスケット３０も支持するように支持部１９を設けてもよい。また、支持部１９は、ドアキャップ１８に一体形成させていたが、別部品として取付固定してもよく、外板１５や内板１６と一体成形又は取付固定してもよい。さらに、防露パイプ２６は、冷媒パイプに限らず電熱線ヒータなどに変更してもよい。
【産業上の利用可能性】
【００２６】
防露パイプ及びマグネットガスケットを用いた種々の冷蔵庫に適応可能である。
【図面の簡単な説明】
【００２７】
【図１】本発明の一実施形態である支持部を示す縦断面図である。
【図２】本発明の一実施形態を示す冷蔵庫の縦断面図である。
【図３】従来のガスケットを示す縦断面図である。
【符号の説明】
【００２８】
１…冷蔵庫本体            ２…キャビネット          ２ａ…前面フランジ部
９…仕様切替室          １３…扉                    １５…外板
１６…扉内板            １６ａ…ガスケット保凹溝      １７…断熱材
１８…ドアキャップ        １９…支持部                ２２…断熱仕切壁
２６…防露パイプ          ２７…前板                  ３０…ガスケット
３１…マグネット保持部    ３２…取付部                ３３…袋状部
【図１】
2006105405.tif 000003
【図２】
2006105405.tif 000004
【図３】
2006105405.tif 000005